(57)【特許請求の範囲】
【請求項１】
アーチワイヤと、各々歯に接合する表面とブラケット溝とを有する複数のブラケットとを有する歯列矯正器具を製造する装置であって、前記歯列矯正器具の仮想寸法表示を定義するデータから数値制御命令データを生成するようになっているコンピュータを備える装置において、
電極を含む放電電極組立体と、前記ブラケット溝を形成するため各ブラケット本体を前記電極と放電接触するように配置するようになっている少なくとも１つの駆動部とを有する放電加工機を備え、
該放電加工機は、前記数値制御命令データを受信する手段を有し、
前記駆動部は、成形品である複数のブラケットであって、成形時に形成されたランナがそれぞれ接続されて円形状に配置された複数のブラケットの各ブラケット本体を前記電極と放電接触するように配置し、前記ブラケット溝を形成すると同時に、前記ブラケットを、前記ランナに設けられた固定部から分離することを特徴とする装置。
【請求項２】
アーチワイヤと、各々歯に接合する表面とブラケット溝とを有する複数のブラケットとを有する歯列矯正器具を製造する方法であって、コンピュータによって、前記歯列矯正器具の仮想寸法表示を定義するデータから数値制御命令データ信号を生成するステップを備える方法において、
電極を含む放電電極組立体を備える放電加工機を使用して、放電加工によって前記ブラケット溝を形成するステップと、
少なくとも１つの駆動部によって、成形品である複数のブラケットであって、成形時に形成されたランナがそれぞれ接続されて円形状に配置された複数のブラケットの各ブラケット本体を前記電極と放電接触するように配置するステップと、
放電加工によって、前記ブラケットから前記ランナに設けられた固定部を分離するステップと、を含み、
前記放電加工機は、前記数値制御命令データ信号によって制御され、
放電加工によって前記ブラケット溝を形成するステップが、前記固定部を前記ブラケットから分離するステップと同時であることを特徴とする方法。
【発明の詳細な説明】
【技術分野】
【０００１】
本発明は、一般に歯列矯正の分野に関し、特に歯列矯正器具の製造に関する。また、本発明は、患者の歯を整列させることを目的とする歯列矯正器具を設計および製造するためのシステム、プログラム製品、および関連方法、ならびに本方法によって製作されるカスタム精密ブラケットに関する。
【背景技術】
【０００２】
患者の歯並びを真直ぐにし整列させるために利用される歯列矯正治療は数百年の歴史を持っている。この治療は一般に、患者の歯の周囲に巻き付けたワイヤの使用を含んでいた。１９７０年代半ば頃、主として接着技術の改善によって、好適な方法は、ブラケットを歯に直接接着し、矩形断面形状の弾性ワイヤのブラケット内の溝に通すやり方に移った。通常、ブラケットは既製品である。大部分の場合、それらはある特定の歯、例えば上の犬歯に適用されるが、特定の患者の個別の歯に適用されるわけではない。個別の歯へのブラケットの適用は一般に、歯の表面とブラケットの表面との間の間隙に接着剤を充填して、歯が最終位置に移動した時に、ブラケット溝が平坦な水平平面にあるように、ブラケットを歯に接着することによって実行されている。歯を望ましい最終位置に移動させる原動力はアーチワイヤによって提供される。リンガルブラケットに関しては、例えば、垂直のブラケット溝を有するシステムがトマス・クリークモア（Ｔｈｏｍａｓ  Ｃｒｅｅｋｍｏｒｅ）によって開発されている。これはワイヤの容易な挿入を可能にするものである。したがって、ワイヤの長い側は垂直に向けられる。
【０００３】
現在の歯列矯正治療で使用されるワイヤは一般に既製品である。歯列矯正医による個別化が必要な場合、それをできる限りわずかな修正によって行うことが目標となる。こうした方法によれば、ブラケットは、治療終了時、歯が整列した時、ブラケット溝が平面的に配置され方向付けられることを想定できるように設計する。このことは、何ら力を印加されることなく溝を受動的に通過するワイヤが平面（平坦）となることを意味する。この治療法は「ストレートワイヤ」として知られている。アーチワイヤが歯の表面から離れるほど、各歯についての精密な終了位置を達成することは困難になる。例えば、トルク（ワイヤの軸に沿った回転）のわずか１０度の誤差も１ｍｍを越える歯の位置の垂直誤差を誘発することがある。すなわち、歯の表面のできるだけ近くに配置され、カスタマイズされたアーチワイヤと共に、精密なアーチワイヤとブラケット溝との境界面を形成してトルク誤差を最小化することのできる精密なブラケット溝に対する必要を出願人は認識している。
【０００４】
歯列矯正の別の問題は、正しいブラケット位置を決定することである。接着時に、歯は望ましい位置から遠く離れて方向付けられることがある。そのため、平坦な平面のアーチワイヤが歯を正しい位置に動かすようにブラケットを配置するタスクは、多くの経験と視覚的想像力を必要とする。その結果、治療終了時には、ブラケット位置またはワイヤ形状の何れかについて必要な調整を実行するため多くの時間が失われることになる。この問題は、歯列の３次元走査データを使用する視覚的方法、または歯列のモデルを個々の歯に分離して蝋床内で歯を理想的な位置に設置する物理的方法の何れかで理想的な設置を作成することによって解決できる。例えば、「歯の口腔内走査に基づく対話式歯列矯正治療システム（Ｉｎｔｅｒａｃｔｉｖｅ  Ｏｒｔｈｏｄｏｎｔｉｃ  Ｃａｒｅ  Ｓｙｓｔｅｍ  Ｂａｓｅｄ  Ｏｎ  Ｉｎｔｒａ−Ｏｒａｌ  Ｓｃａｎｎｉｎｇ  ｏｆ  Ｔｅｅｔｈ）」という名称のラバート（Ｒｕｂｂｅｒｔ）他による米国特許第６，６４８，６４０号は、汎用ブラケットとカスタマイズされた歯列矯正アーチワイヤに基づく歯列矯正へのワイヤによるアプローチを記載している。アーチワイヤは複雑なねじれや曲がりを有してもよく、必ずしも平坦な平面のワイヤではない。また、この特許文献は歯列の３次元仮想モデルを生成するための走査システムと、走査した歯列のモデルに基づく対話式コンピュータ化治療計画システムとを記載している。治療計画の一部として、仮想的なブラケットを仮想的な歯の上に配置し、臨床判断を行う人間の操作員によって歯を望ましい位置に移動する。不正咬合状態の歯列にブラケットを加えた３次元仮想モデルを高速プロトタイピング装置にエクスポートし、歯列にブラケットを加えた物理モデルを製造する。
【０００５】
「カスタマイズされた歯列矯正器具のためのモジュールシステム（Ｍｏｄｕｌａｒ  Ｓｙｓｔｅｍ  ｆｏｒ  Ｃｕｓｔｏｍｉｚｅｄ  Ｏｒｔｈｏｄｏｎｔｉｃ  Ａｐｐｌｉａｎｃｅｓ）」という名称のヴィーヒマン（Ｗｉｅｃｈｍａｎｎ）他による米国特許第６，７７６，６１４号は、カスタマイズされた歯列矯正ブラケットとカスタマイズされた歯列矯正アーチワイヤとに基づく歯列矯正へのワイヤによるアプローチを記載している。本特許文献はさらに、仮想ブラケットボンディングパッドと、仮想ブラケット本体のライブラリから検索された仮想ブラケット本体とを含む３次元仮想オブジェクトの組み合わせとしてコンピュータ上でブラケットを製造することを記載している。仮想ブラケットはデジタル形状データを収容するファイルであってもよく、高速プロトタイプ製作装置にエクスポートしてもよい。
【０００６】
歯列矯正における最近の発展には、ブラケットを形成する高速プロトタイピング技術の使用が含まれる。高速プロトタイピング機械をブラケットのモデルのために使用してもよく、その後ブラケットのモデルを使用してブラケットを形成する鋳型を形成する。こうした鋳型は一般にブラケットを画定するキャビティを有しており、ブラケット形成材料を鋳型に注入する経路を形成するチャネルを有してもよい。チャネル内に残った硬化したブラケット形成材料はランナを形成するが、これは取り除かなければならない。また、ブラケット溝が成形処理の一部として形成されていない場合、ブラケット溝をブラケット本体に切り込まなければならない。
【０００７】
ブラケット溝を形成する様々な方法は、鋳造、研磨またはフライス加工を含んでもよい。例えば、「カスタム歯列矯正器具を形成する方法および装置（Ｃｕｓｔｏｍ  Ｏｒｔｈｏｄｏｎｔｉｃ  Ａｐｐｌｉａｎｃｅ  Ｆｏｒｍｉｎｇ  Ｍｅｔｈｏｄ  ａｎｄ  Ａｐｐａｒａｔｕｓ）」という名称のアンドレイコ（Ａｎｄｒｅｉｋｏ）他によるＰＣＴ特許出願公報ＷＯ９４／１０９３５号は、基部の傾斜角を保持または、代替的には、ブラケット基部またはパッドを傾斜させつつ、ブラケットの未完成品に個別の溝を切り込み、歯の表面に一致するように輪郭を付けるか、またはブラケット基部と歯との間の空間に充填した接着剤と連携させるかの何れかによってブラケット基部を形成することでブラケットを形成することを記載している。アンドレイコ他は、主として機械的な刃物を使用してブラケットを形成することを記載しているが、また、さらに詳述することはないものの、ワイヤカット放電加工、機械加工、鋳造、またはステレオリソグラフィといった他の手段を利用し得ることも紹介している。
【０００８】
こうした処理は、極めて精密なブラケット溝を作成し、ブラケット溝の側壁内にアンダーカットを作成し、インベストメント鋳造したブラケットからランナを切り離し、また極めて精密なタブをブラケット本体内に切り込むためのシステム、装置または方法の説明が不十分である。精密なブラケットに対する願望は、ヴィーヒマン、Ｄ．（Ｗｉｅｃｈｍａｎｎ，Ｄ．）、「リンガル歯列矯正治療のための新しいブラケットシステム、第２部、最初の臨床経験とさらなる発展（Ａ  Ｎｅｗ  Ｂｒａｃｋｅｔ  Ｓｙｓｔｅｍ  ｆｏｒ  Ｌｉｎｇｕａｌ  Ｏｒｔｈｏｄｏｎｔｉｃ  Ｔｒｅａｔｍｅｎｔ、Ｐａｒｔ  ２：Ｆｉｒｓｔ  Ｃｌｉｎｉｃａｌ  Ｅｘｐｅｒｉｅｎｃｅｓ  ａｎｄ  Ｆｕｒｔｈｅｒ  Ｄｅｖｅｌｏｐｍｅｎｔ）」、Ｊ．オラファク．オルソップ．（Ｊ．Ｏｒａｆａｃ．Ｏｒｔｈｏｐ．）（２００３）に示されているが、例えば、隣接するアーチワイヤの精密な適合を可能にする公差の小さい平面に加工された表面といった、放電加工技術を使用して獲得可能な望ましい形状を有する精度を向上したブラケット溝またはチューブを形成するシステム、装置、プログラム製品、および方法に対する必要は今日まで認識されていない。
【発明の開示】
【発明が解決しようとする課題】
【０００９】
上記の観点から、本発明の目的は、既知のブラケットおよび既知の製造方法の不備を克服することである。
【課題を解決するための手段】
【００１０】
本発明は、歯列矯正器具の各ブラケット本体内に精密なカスタマイズされたブラケット溝を形成する際精度の向上を提供可能な歯列矯正器具を製造するシステム、プログラム製品，および方法を提供することによって上記で述べた目的を達成する。例えば、本発明の実施形態によれば、以前は形成できなかったブラケット溝の形状を形成することができる。さらに、本発明の実施形態によれば、カスタムアーチワイヤおよび精密なカスタムブラケット溝各々は、トルク誤差を大きく低減または最小化し得る高精度なアーチワイヤとブラケット溝との境界面を形成することができる。アーチワイヤは一般にＵ型または弓形のワイヤであって、一般に口腔中の歯の配置の内側表面に対応する形態および寸法を有する。仮想ブラケット設計と組み合わせて放電加工を使用することは、ブラケット本体内にブラケット溝を形成するために利用される場合、精度を向上しランナの除去を可能にすることを発明者は発見した。またさらに、本発明の実施形態によれば、仮想ブラケット設計と組み合わせた放電加工は精度を向上し、有効なランナの除去を含む製造処理を可能にする。好適には、ランナの除去はブラケット溝の加工と同時に行われ、例えば、溝を加工する処理は有効にもランナの除去と結合される。これは、ランナまたは固定部が、それぞれ、平面に配置されまた加工対象のブラケット溝の開放表面の平面に取り付けられるブラケット本体の一部に取り付けられる本発明の実施形態において実現される。すなわち、ブラケット溝を充填した材料の除去と組み合わせたブラケット溝の機械加工の結果、それに取り付けられたランナまたは固定部が同時に除去される。
【００１１】
さらに詳しく言うと、本発明の実施形態では、歯列矯正器具を製造するシステムは、プロセッサと、プロセッサに結合されたメモリと、メモリ中に格納された歯列矯正器具設計プログラム製品とを有する仮想歯列矯正器具設計コンピュータを含んでもよい。歯列矯正器具設計プログラム製品は、通常当業者に周知の様々な方法を通じて取得される患者の歯列データを受信する動作を実行する命令を含んでもよく、受信した患者の歯列データに応答して仮想歯列矯正器具設計データを画定する歯列矯正器具の仮想寸法表示を設計する動作を実行する命令を含んでもよい。歯列矯正器具は、例えばカスタマイズ可能なアーチワイヤと、各々歯に面する接合表面を有するブラケット本体と、ブラケット本体に接続されたブラケットパッドと、ブラケット溝とを含む複数の精密なカスタマイズされたブラケットとを含んでもよい。すなわち、ブラケットは、ブラケット溝と、歯に接合する表面を有するブラケットパッドとを有するブラケット本体を備える。好適実施形態では、ブラケットは、ブラケット本体と、ブラケット溝と、ブラケットパッドとを備える単一部片の要素である。
【００１２】
また、システムは、例えば、カスタムブラケットを形成するために使用する鋳型を形成する高速プロトタイピングといった様々な技術を利用可能な鋳型形成装置を含んでもよい。本発明の実施形態によれば、鋳型は、ブラケット本体とブラケットパッドとの両方を同時に形成するように構成してもよく、ブラケット形成材料を受け入れるように配置する。また、鋳型形成装置は、ブラケット形成材料を鋳型内に計量分配するように配置された装置を含む。各鋳型は一般に、各ブラケットのための、各ブラケット形成材料を内部に配置した時ブラケットの周囲を画定するキャビティと、ブラケット形成材料を充填した時ランナの周囲を画定するチャネルとを有する。成形された各ブラケット本体は、鋳型から取り外された時ランナに接続されていてもよい。好適には、ランナは、ブラケットを放電加工機による加工のために方向付けるためシステムの受け入れ部内に配置してもよい固定部を備える。このようにして、固定部は、例えば、歯に接合する表面の形状を備える患者の歯列データと独立してか、または、好適には、例えば、歯に接合する表面および／または歯に接合する表面に向かうブラケット溝の傾斜を画定する患者の歯列データにしたがって加工するためブラケットを方向付けるために使用してもよい。
【００１３】
代替案では、固定部を備えるランナを有するブラケット本体を成形するため、ブラケット本体はランナから独立した固定部を備えてもよい。さらに、ブラケット本体は、例えば、望ましい材料を所定の３次元形状にする先行材料の機械加工または、好適には、溶融によって３次元形状を生成する別の製造方法によって製造してもよい。後者の技術は、例えば、本質的にはブラケット本体の所定の形状の範囲内で数値制御によって所定のパターンに沿って先行材料を選択的に溶融するレーザ照射を利用してもよい。ブラケット本体を構成する材料が合金である場合、先行材料は合金の粒子でもよい。
【００１４】
また、システムは、例えば、コンピュータネットワークを通じて仮想歯列矯正器具設計コンピュータと通信するように配置され、メモリと、メモリ中に格納されたコンピュータ支援製造プログラム製品とを有するデータ処理コンピュータを含んでもよい。コンピュータ支援製造プログラム製品は、仮想歯列矯正器具設計データに応答してブラケット溝を形成する動作を実行する、機械によって読み取り可能な放電装置制御命令を導出する動作を実行する命令を含んでもよい。
【００１５】
また、システムは、例えば、コンピュータネットワークまたは当業者に周知の他の通信媒体を通じて、データ処理コンピュータと通信する放電加工機を含む。放電加工機は、コンピュータ数値制御を提供可能なメモリを有する制御装置を含んでもよい。また、制御装置は、メモリ中に格納され、放電装置制御命令を受信またはインポートする動作を実行する命令を含み得るデータ通信プログラム製品を含んでもよい。また、制御装置は、受信した放電装置制御命令に応答して放電装置制御命令を保持する制御信号を導出する命令を含み得る制御プログラム製品を含んでもよい。
【００１６】
また、放電加工機は、電極を含む放電電極組立体を有する放電装置を含んでもよい。放電装置の電極は、例えば、ワイヤ放電電極またはワイヤ電極および型彫り放電電極という２つの形態でよい。放電装置は、形成すべきブラケット溝の種類に応じて、制御信号に応答して、ブラケット溝を形成し、ブラケット溝を形成する時同時にブラケットをランナから分離するためブラケットを電極と放電接触するように配置するようになった少なくとも１つの駆動部を含んでもよい。
【００１７】
本発明の実施形態によれば、歯列矯正器具を製作または製造するシステムは、メモリと、メモリ中に格納された制御プログラム製品とを有する制御装置を画定する数値制御データプロセッサを含んでもよい。制御プログラム製品は、歯列矯正器具のブラケットのブラケット本体中のブラケット溝を形成し、ブラケット本体に接続されたランナからブラケット本体を分離する放電装置制御命令を保持する数値制御信号を導出する動作を実行する命令を含んでもよい。また、システムは制御装置と通信する放電装置を含んでもよい。放電装置は、電極を含む放電電極組立体と、ブラケット溝を形成し、ブラケット溝を形成する時同時にブラケットをランナから分離するため、数値制御信号に応答してブラケットのブラケット本体を電極と放電接触するように配置するようになった少なくとも１つの駆動部とを有してもよい。
【００１８】
本発明の実施形態によれば、歯列矯正器具を製作または製造するシステムは、メモリと、メモリ中に格納され、歯列矯正機器のブラケットのブラケット本体内のブラケット溝の仮想寸法表示を記述した放電装置制御命令を受信する動作を実行する命令を含むデータ通信プログラム製品と、やはりメモリ中に格納され、放電装置制御命令に応答して放電装置制御命令を保持する制御信号を導出する動作を実行する命令を含む制御プログラム製品とを有する制御装置を含んでもよい。また、システムは、制御装置と通信し、電極を含む放電電極組立体を有し、例えば、事前に選択されたアーチワイヤの関連する寸法に実質上一致するように導出された所定の放電切り込みパターンにしたがってブラケット溝を形成するため、制御信号に応答して、ブラケットのブラケット本体が制御装置と放電接触するように配置するようになった少なくとも１つの駆動部を有する放電装置を含んでもよい。有益にも、例えば、これはアーチワイヤとの精度の向上した境界面の形成を可能にする。
【００１９】
さらにまた、本発明の実施形態は、歯列矯正器具を製造する方法を含む。例えば、本発明の実施形態によれば、歯列矯正器具を製造する方法は、歯列矯正器具のブラケットのブラケット本体内のブラケット溝の仮想寸法表示から装置制御命令を保持する制御信号を導出するステップの実行を含む。この記載の目的で、仮想寸法表示とは、例えば、寸法、輪郭および／または表面精度または公差といった寸法表示を定義する１組のデータを指してもよい。装置制御命令は、例えば、ブラケット溝の周囲に沿って延び、事前に選択されたアーチワイヤの関連する寸法に実質上一致するようにカスタマイズされ、アーチワイヤとの精密な境界面を形成する放電切り込みパターンを仕上げる動作を記述する。また、方法は、例えば、制御信号の役目を果たす数値制御命令データによる、放電加工機および／またはその駆動部の制御によってブラケット溝を形成するため、制御信号に応答して放電切り込みパターンを仕上げるステップを含んでもよい。また、ブラケット本体がランナに接続されている場合、例えば、方法は、ブラケット溝を形成する時ブラケット本体をランナから分離するためブラケット本体をランナから切り離すステップを含む放電切り込みパターンを仕上げるステップを含んでもよい。ブラケット溝が開放端ブラケット溝である場合、ブラケット溝の形成が完了した際にブラケットがランナから実質上同時に分離できるように、溝をランナに隣接して形成してもよい。また、本発明の実施形態によれば、ブラケット溝中のアンダーカットを画定する横方向延長部を、ブラケット溝の閉鎖端に隣接してブラケット本体内に形成してもよい。さらに、有利には、ブラケット溝がチューブである場合、第１の切り込みパターンを使用してまず溝を切ってもよく、関連するランナが取り付けられている場合は、第２の切り込みパターンにしたがってブラケット本体から分離してもよい。
【００２０】
本発明の実施形態によれば、歯列矯正器具を製造する方法は、歯列矯正器具のブラケットのブラケット本体内のブラケット溝の仮想寸法表示のデータから、ブラケット溝の周囲に沿って延び、事前に選択されたアーチワイヤの関連する寸法に実質上一致するようにカスタマイズされた放電切り込みパターンを仕上げる動作を記述した装置制御命令を保持する制御信号を導出するステップを含んでもよい。有益にも、その結果は、アーチワイヤと、閉鎖した周囲を有しブラケットチューブを画定するブラケット溝との間の精度の向上した境界面の形成を含む。また、方法は、制御信号に応答して放電切り込みパターンを仕上げ、ブラケットチューブを形成するステップを含んでもよい。すなわち、本発明に係る歯列矯正器具およびその製造方法の利点は、開放端ブラケット溝および閉鎖端ブラケット溝のどちらの実施形態でも、それぞれブラケット溝またはブラケットチューブ、好適にはその２つの対向する側面、さらに好適には２つの対向する側面でありかつ基部表面のうち少なくとも１つの表面が、例えば最大３０μｍ、好適には最大２０μｍの高い精度の押し込み嵌合でアーチワイヤを収容するように形成されることである。
【００２１】
本発明の別の実施形態によれば、歯列矯正器具を製造する方法は、歯列矯正器具のブラケットのブラケット本体中のブラケット溝の仮想寸法表示から、放電切り込みパターンを仕上げてブラケット溝を形成する動作を記述した装置制御命令を保持する制御信号を導出するステップを含んでもよい。この実施形態によれば、ブラケット溝は、開放表面端と、閉鎖基部端と、それらの間に延びる２つの間隔の空いた側面とを有する。また、方法は、制御信号に応答して放電切り込みパターンを仕上げるステップを含んでもよい。放電切り込みパターンは、ブラケット溝の周囲に沿って延びてもよく、ブラケット溝の基部端の間隔の空いた側面の一方からブラケット本体内に延びてブラケット溝のアンダーカットを形成する横方向延長部を形成してもよい。
【００２２】
歯列矯正器具を製造する方法は、歯列矯正器具のブラケットのブラケット本体をそれに接続されたランナから分離する放電切り込みパターンを仕上げる動作を記述した装置制御命令を保持する制御信号を導出するステップと、制御信号に応答して放電切り込みパターンを仕上げるステップとを含んでもよい。
【００２３】
有益にも、本発明の実施形態は、極めて精密なブラケット溝を製造し、ブラケット溝の側壁内にアンダーカットを作成し、インベストメント鋳造したブラケットからランナを切り離し、極めて精密なタブをブラケット本体内に切り込むための製造システムおよび方法を提供する。本発明の実施形態は、設計形状の仮想寸法表示から機械制御命令を保持する制御信号を導出するデータ処理システムを含む、歯列矯正器具またはその一部の少なくとも１つの設計形状を製作する製造システム、および、放電シーティングを利用しないシステムでは得られないレベルの精度と効率を提供し得る、放電加工を含む設計形状を製作する製造システムを提供する。本発明の実施形態は、ある実施形態の実現においては、例えば、三菱電機株式会社のワイヤＥＤＭ  ＳＸ１０といったワイヤカットＥＤＭ技術によってブラケットの溝の切り込みを提供する放電加工を利用して歯列矯正器具またはその部品の形状を製造する製造システムおよび方法に関する。
【００２４】
本発明の特徴および利点、ならびにやがて明らかになるその他の事項がより詳細に理解されるように、以下、本明細書の一部を形成する添付の図面に例示される実施形態を参照して、上記で簡単に要約した本発明のより詳細な説明を行う。しかし、添付の図面は本発明の様々な実施形態を例示するものに過ぎず、他の有効な実施形態を含み得る本発明の範囲を制限するものとみなすべきではないことに注意されたい。
【発明を実施するための最良の形態】
【００２５】
以下、本発明の実施形態を例示する添付の図面を参照して本発明をより完全に説明する。しかし、本発明は多くの異なる形態で実施可能であって、本出願に記載の例示実施形態に制限されるものとみなすべきではない。全図を通じて同一の参照符号は同一の要素を表す。アポストロフィ（’）符号が使用される場合は、代替実施形態での同様の要素を示す。
【００２６】
図１〜図２７に例示するように、本発明の実施形態は有利にも、放電加工機を利用して歯列矯正器具またはその部品の形状を製作し、かつ、１つの実施形態の実現においては、ワイヤカット放電加工技術を使用して器具の様々な形状を「切り込み」または整形するための新しいシステム、プログラム製品、および方法を提供する。「ＣＡＤ」の意味は、コンピュータ支援設計の何らかおよび全ての技術を含むがこれに制限されない。「ＣＡＭ」の意味は、コンピュータ支援製造の何らかおよび全ての技術を含むがこれに制限されない。「ＣＮＣ」または「機械制御」の意味は、高速プロトタイピング装置およびシステムを含むがこれに制限されない、製造機械およびシステムに関連するコンピュータ数値制御の何らかおよび全ての技術を含むがこれに制限されない。「切り込み」の意味は電食の実行を含む。「ＥＤＭ」または「ＥＤＭする」の意味は、放電加工の何らかおよび全ての技術を含むがこれに制限されない。「３Ｄ」という用語は３次元を意味する。本発明およびその様々な実施形態を説明するために本明細書で使用される用語はそれらの一般的に定義された意味でだけ使用されるのではなく、一般的に定義された意味の範囲を越えた構造、材料または作用の本明細書における特殊な定義をも含むものと理解されたい。
【００２７】
図１および図２に示すように、歯列矯正器具を製作または製造するシステム３０の実施形態は、プロセッサ３３、プロセッサ３３に結合したメモリ３５、およびメモリ３５中に格納した歯列矯正器具設計プログラム製品３７を有する仮想歯列矯正器具設計コンピュータ３１を含んでもよい。歯列矯正器具設計プログラム製品３７は、通常当業者に周知の様々な方法を通じて取得される患者の歯列データを受信する動作を実行する命令を含んでもよく、かつ、受信した患者の歯列データに応答して仮想歯列矯正器具設計データを定義する歯列矯正器具４１の仮想寸法表示を設計する動作を実行する命令を含んでもよい。
【００２８】
図４〜図７に示すように、歯列矯正器具４１は、カスタマイズされたアーチワイヤ４３、ならびに各々ブラケット本体４７、ブラケット本体４７に接続されたブラケットパッド４９、およびブラケット溝幅５５を有するブラケット本体４７内のブラケット溝５１、５３を含む多数の精密なカスタマイズされたブラケット４５を含んでもよい。また、ブラケット本体４７は、ブラケットウイング５７、ブラケットフック５９、または当業者に周知の他の設計形状を含んでもよい。開放端ブラケット溝５１は、開放表面端６１、閉鎖基部端６３、およびそれらの間に延びる２つの側面６５、６６を含んでもよい。また、開放端ブラケット溝５１（図４および図６参照）は、基部端６３に隣接し一方または両方の側面６５、６６からブラケット本体４７内に延びて溝幅５５を越える幅を有するアンダーカット６７を形成する横方向延長部（単数または複数）を含んでもよい。開放表面端６１に隣接するブラケット本体４７の部分は弓形でもよく、またより平面の形状を有してもよい。ブラケット溝５１の側面６５、６６、および基部６３は実質上平面の表面を有してもよく、対応して、例えば、溝幅５５に沿って、３０ミクロン未満のおよび好適には約８ミクロン程度の寸法公差を有するように指定してもよい。閉鎖端（チューブ）ブラケット溝５３（図５および図７参照）は閉鎖表面端６９を含んでもよいが、他の点では開放端ブラケット溝５１と同様である。すなわち、閉鎖端ブラケット溝５３は、基部６３’、１対の側面６５’、６６’、幅５５’をも含み、アンダーカット６７’を含んでもよい。やはり同様に、ブラケットチューブ溝５３は、対応する溝幅５５’に沿って、３０ミクロン未満および好適には約８ミクロン程度の寸法公差を有するように指定してもよい。
【００２９】
また、図８に示すように、システム３０は、当業者に周知の、例えば、カスタムブラケット４５を形成するために使用される鋳型７３を形成する高速プロトタイピングといった様々な技術を利用可能な鋳型形成装置７１を含んでもよい。様々な高速プロトタイピング技術は、例えば、いくつか例をあげるだけでも、ステレオリソグラフィ、積層オブジェクト製造、選択的レーザ焼結、溶融蒸着モデリング、固体グラウンド硬化（ｓｏｌｉｄ  ｇｒｏｕｎｄ  ｃｕｒｉｎｇ）、および３Ｄインクジェット印刷を含んでもよい。本発明の実施形態によれば、鋳型７３はブラケット本体４７とブラケットパッド４９とを同時に成形するように構成されている。鋳型７３は、ブラケット形成材料７５と、ブラケット形成材料７５を鋳型７５に計量分配するように配置された計量分配装置７７とを受け入れるように配置されている。本発明の実施形態では、その全体を引用によって本出願の記載に援用する「カスタマイズされた歯列矯正器具のためのモジュールシステム（Ｍｏｄｕｌａｒ  Ｓｙｓｔｅｍ  ｆｏｒ  Ｃｕｓｔｏｍｉｚｅｄ  Ｏｒｔｈｏｄｏｎｔｉｃ  Ａｐｐｌｉａｎｃｅｓ）」という名称のヴィーヒマン（Ｗｉｅｃｈｍａｎｎ）他による米国特許第６，７７６，６１４号に恐らく最もよく説明されているように、患者の歯の印象の３次元走査から形成した本体４７およびパッド４９の両方であるブラケット４５のコンピュータ支援設計を使用する高速プロトタイピング技術を使用して、例えば蝋または樹脂の、ブラケット４５のモデルを製作し、その後それを使用して、例えばセメントの、ブラケット４５の鋳型７３を形成する。各鋳型７３は一般に、ブラケット形成材料７５を内部に配置した時ブラケット本体４７およびブラケットパッド４９の周囲を画定する各ブラケット４５のためのキャビティ７９と、ブラケット材料７５を充填した時ランナ８３（図９）の周囲を画定するチャネル８１とを有する。恐らく図１４に最もよく示されているように、成形された各ブラケット本体４７は鋳型７３から取り外す時ランナ８３に接続されていてもよい。
【００３０】
また、図１および図２に示すように、システム３０は、例えばコンピュータネットワーク９３を通じて仮想歯列矯正器具設計コンピュータ３１と通信するように配置され、メモリ９５およびメモリ９５に格納されたコンピュータ支援製造プログラム製品９７を有するデータ処理コンピュータ９１を含んでもよい。コンピュータ支援製造プログラム製品９７は、仮想歯列矯正器具設計データに応答して、ブラケット溝５１、５３を形成する動作を実行するための機械によって読み取り可能な放電装置制御命令を導出する動作を実行する命令を含んでもよい。すなわち、放電装置制御命令は、ブラケット溝５１、５３の周囲に沿って延びる放電加工切り込みパターンを仕上げる動作を実行する命令を含んでもよい。また、該命令は、ブラケット溝５１、５３を形成した時ランナ８３の取り付け部分からブラケット本体４７を同時に分離する動作を実行する命令を含んでもよい。本発明の実施形態によれば、仮想歯列矯正器具設計データはデータ処理コンピュータ９１に手動で入力してもよく、またデータ処理コンピュータ９１は他の形で受信してもよいことに注意されたい。こうした方法は、設計形状、例えばブラケット溝幅５５、５５’を記述するパラメータの数に制限がある時に使用してよい。設計形状がより複雑な形状を表す場合、仮想歯列矯正器具設計コンピュータ３１から入力される設計を提供することが好適であろう。メモリ９５は他に記載のメモリと共に、例えば、いくつか例をあげるだけでも、ＲＡＭ、ＲＯＭ、および磁気または光学ディスクを含む、当業者に周知の揮発性および不揮発性メモリを含んでもよいことに注意されたい。また、コンピュータ支援製造プログラム製品放電装置制御命令は、ハードウェアの機能を制御しその動作を指導する命令される動作の特定の組み合わせ（単数または複数）を提供する、マイクロコード、プログラム、ルーチン、および記号言語の形態でもよいことに注意されたい。本発明の実施形態によれば、命令は特に数値制御装置による使用を目的としている。
【００３１】
また、図１および図２に示すように、システム３０は、例えば、ＲＳ−２３２−Ｃシリアル通信ポートまたは当業者に周知の他の通信媒体を使用して、例えば、コンピュータネットワーク９３を通じてデータ処理コンピュータ９１と通信する放電加工機１０１を含む。放電加工機１０１は、例えば、コンピュータ数値制御に対応可能なメモリ１０５を有する機械制御ユニットである制御装置１０３を含んでもよい。また、制御装置１０３は、当業者に周知のユーザ入力装置（単数または複数）と、放電装置制御命令を受信またはインポートする動作を実行する命令を含み得る、メモリ１０５に格納されたデータ通信プログラム製品１０７とを含んでもよい。また、制御装置１０３は、受信した放電装置制御命令に応答して放電装置制御命令を保持する制御信号を導出する命令を含む制御プログラム製品１０９を含んでもよい。本発明の実施形態によれば、通信において、制御装置１０３は代替的に、例えば携帯型コンピュータ可読媒体を使用する手動データ転送を通じてデータ処理コンピュータ９１から放電装置制御命令を受信（インポート）してもよい。
【００３２】
また、図１０および図１１に示すように、放電加工機１０１は、電極１１７、１１９を含む放電電極組立体１１３、１１５を有する放電装置１１１、１１１’を含んでもよい。通常の直流電源および直流電源と電気的に連絡する火花制御装置（ｓｐａｒｋ  ｃｏｎｔｒｏｌｌｅｒ）（図示せず）は、電極１１７、１１９と電極１１７、１１９に隣接するブラケット本体４７の部分との間に対応する一連の高周波電気火花放電アークを形成する高周波パルス波を提供する。放電装置１１１、１１１’の電極は、例えば、ワイヤ放電電極またはワイヤ電極１１７（図１０）および型彫り放電電極１１９（図１１）という２つの形態のものでよい。
【００３３】
図１０に示すように、ワイヤ電極１１７を利用する放電装置１１１の電極組立体１１３は、ワイヤ電極１１７の未使用部分を収容し切り込みパターンを仕上げる時ワイヤ電極を供給する連続した流れを提供する供給リールまたはスプール１２１と、ワイヤ電極の使用済み部分を収容し切り込みパターンを仕上げてブラケット溝５１を形成する時供給リール１２１から供給されるワイヤ電極を回収しかつワイヤ電極１１７に張力を提供する巻き取りリールまたはスプール１２３とを含む。供給リール１２１と巻き取りリール１２３との間には、供給ワイヤガイド１２５と巻き取りワイヤガイド１２７とが配置されている。切り込み動作中常に供給リール１２５から提供されるワイヤ電極１１７は、供給および巻き取りガイド１２５、１２７の間に保持される。ワイヤ電極１１７は通常誘電体として水を使用するが、これはブラケット本体４７に隣接して配置したノズル（図示せず）を通じて計量分配してもよい。生産速度を向上させるため電極の負の極性を選択してもよい。より精巧なブラケット溝表面を生じるため電極の正の極性を選択してもよい。希望または必要に応じて、これら２つの極性の組み合わせを使用してもよい。
【００３４】
本発明の実施形態によれば、放電装置１１１は、当業者が認識するように、ワイヤ電極１１７と放電接触するブラケット本体４７を位置決めする制御信号に応答して、例えばステップモータまたは直流モータ（図示せず）を使用してＸ−Ｙ平面内で移動し、ブラケット溝５１、５３を形成する切り込みパターンを実行するようになっている放電装置駆動テーブル１２９を含む。本発明の別の実施形態によれば、当業者が理解するように、例えば、ステップモータまたは直流モータ（図示せず）を使用して、Ｘ−Ｙ平面内で制御信号に応答して供給および巻き取りガイド１２５、１２７を移動させ、ワイヤ電極１１７を位置決めして切り込みパターンを実行する。本発明の実施形態によれば、非平行、非平面の表面を有する様々な幾何学的形状の形成を可能にするため、供給ガイド１２５または巻き取りガイド１２７はさらに独立して位置決めしてもよい。また、一方または両方のガイド１２５、１２７または駆動テーブル１２９を通るワイヤ電極１１７は、制御信号に応答して同時にブラケット本体４７をランナ８３から分離してもよいことに注意されたい。
【００３５】
図１１に示すように、型彫り放電電極１１９を利用する放電装置１１１’の電極組立体１１５は、切り込みパターンの穴形成部分を仕上げてブラケット溝５３を形成する時、ブラケット４５の本体に隣接した電極を延長するラム（図示せず）を含んでもよい。固有の型彫り電極１１９を使用する代わりに、巻き取りリール１２５から分離したワイヤ電極１１７の一部を使用して型彫り電極として機能させてもよい。本発明の実施形態によれば、例えば、ブラケット本体４７を通るスタータ穴のドリル加工または成形処理の一部としてのブラケット本体４７を通るスタータ穴の形成を含む他の製造方法も本発明の範囲内であることに注意されたい。開始穴を形成するために使用される方法と無関係に、ブラケット本体４７を通る開始穴を形成したら、ワイヤ電極１１７の端部を巻き取りリール１２５に接続して、以下説明するチューブの形態のブラケット溝５３を形成するため上記で説明したように機能させてもよい。
【００３６】
また、図１〜図２７に示すように、本発明の実施形態は歯列矯正器具を製造する方法を含む。例えば、図１２に示すように、本発明の実施形態によれば、歯列矯正器具を製作する方法は、例えば、当業者に周知の技術を使用した不正咬合の診察／診断を通じて取得した患者の歯列データを受信するステップ（ブロック１４１）と、受信した患者の歯列から歯列矯正器具の仮想寸法表示を設計するステップ（ブロック１４３）と、その後歯列矯正器具を製造するステップ（ブロック１４５）とを含んでもよい。例えば、歯列矯正医または他の医療専門家は、歯列矯正医の診察室で患者の診察を行い、患者の状態を決定するために必要なデータを集め、適当な治療を処方し、治療を実現する歯列矯正器具の特性を指定する。それぞれ患者の下顎モデルおよび上顎モデルを含む物理モデルを、仮想モデルを形成するために使用する物理鋳型を使用して形成してもよい。代替的には、様々な走査技術を使用して仮想モデルを直接形成してもよい。利用される方法と無関係に、患者に対して行うべき治療および治療によって達成されるべき結果を記載した処方箋と共に仮想モデルを使用して、歯列データを形成してもよい。このデータは器具設計製造設備に通信してもよく、そこでは、患者の歯列の３次元仮想モデルと仮想空間内で歯を移動させて最終位置を決定するための治療計画ソフトウェアまたはプログラム製品とを格納できる、例えば仮想歯列矯正器具設計コンピュータ３１、ワークステーション、または当業者に周知の他のデータプロセッサといったコンピュータの使用を通じてカスタマイズされた歯列矯正器具４１の設計を実行してもよい。
【００３７】
歯列矯正器具４１は、カスタマイズされたアーチワイヤ４３と、各々ブラケット本体４７、ブラケット本体４７に接続されたブラケットパッド４９およびブラケット本体４７中のブラケット溝５１、５３を含む多数の精密なカスタマイズされたブラケット４５とを含んでもよい。ブラケット溝５１、５３内に配置され、ブラケット溝幅寸法において、例えば、２０ミクロン以下および約８ミクロン程度の組み合わせ公差を提供できる精密な境界面を形成するカスタマイズされた精密アーチワイヤ４３を形成するため、例えば、その全体を引用によって本出願の記載に援用する「歯列矯正アーチワイヤをカスタマイズするための方法およびシステム（Ｍｅｔｈｏｄ  ａｎｄ  Ｓｙｓｔｅｍ  ｆｏｒ  Ｃｕｓｔｏｍｉｚｉｎｇ  ａｎ  Ｏｒｔｈｏｄｏｎｔｉｃ  Ａｒｃｈｗｉｒｅ）」という名称のラバート（Ｒｕｂｂｅｒｔ）他による米国特許第６，９２８，７３３号に記載されているもののような様々なアーチワイヤ形成システムおよび方法を使用してよい。アーチワイヤ４３は通常、ステンレス鋼、ニッケル−チタンベース、チタン−ニオブベース、またはチタン−モリブデンベースの合金から形成するが、当業者に周知の様々な他の材料を使用して製造してもよい。ブラケット４５は通常、ステンレス鋼、チタン、またはチタンベースの合金から形成するが、当業者に周知の様々な他の材料から容易に形成することもできる。
【００３８】
仮想ブラケットパッドおよびブラケット本体を形成する様々な方法を利用してよい。その全体を引用によって本出願の記載に援用する「カスタマイズされた歯列矯正器具のためのモジュールシステム（Ｍｏｄｕｌａｒ  Ｓｙｓｔｅｍ  ｆｏｒ  Ｃｕｓｔｏｍｉｚｅｄ  Ｏｒｔｈｏｄｏｎｔｉｃ  Ａｐｐｌｉａｎｃｅｓ）」という名称のヴィーヒマン（Ｗｉｅｃｈｍａｎｎ）他による米国特許第６，７７６，６１４号は、ブラケット形状の仮想記述のライブラリへのアクセスを有するコンピュータの支援によって個別患者のためにカスタマイズされた歯列矯正ブラケット４５を設計するシステムおよび方法を含む、ブラケット４５を製造するために使用される歯列矯正器具４１の仮想寸法表示を設計する方法を記載している。例えば、１つの方法によれば、ブラケットパッドの幾何学的形状を患者の歯のデジタル表示から直接導出して、歯の表面の形状に実質上一致するブラケットボンディングパッド４９を製造してもよい。別の方法によれば、ヴィーヒマン他が記載する別の方法によれば、歯の表面の曲率を分析することによって適当なブラケットボンディングパッドの面積を自動的または半自動的に計算し、湾曲形状の大部分を覆って歯の表面上でブラケット４５を手作業で確実に位置決めできるようにする十分な広さの表面を決定するソフトウェアアルゴリズムを利用する。こうしたアルゴリズムは、例えば所定のパッドサイズから開始してもよい。完全に平坦な歯の表面はブラケットを一ヶ所にだけ位置決めするのに向かないので、そのパッドサイズによって覆われる歯の表面は、周囲の歯の解剖学的構造に対して少なくとも１つの高くなった部分を有する仮想的な「小山」を形成することになる。小山の容積は、パッドの縁端が何らかの都合のよい方法で連続表面と結合していると想定して計算すればよい。歯の表面が呈する曲率が小さいほど、小山は平坦になりその容積は小さくなる。「小山」の容積が所定の値を越えない場合、容積が大きい方が十分に高くなった歯の形状を含みやすいという考え方から、パッドは自動的に所定の値まで拡大される。再び、容積を計算する。各パッドについて最小容積値が達成されるまでこのループを繰り返す。これは、この自動化アルゴリズムの例示的なアプローチに過ぎない。本出願で教示する原理から、他のアプローチも容易に選択可能である。
【００３９】
また、患者の歯から離れたブラケットパッド４９の部分は患者の歯の幾何学的形状に一致するように設計してもよい。また、ブラケット本体４７は、ブラケットパッド４９と結合するように設計してもよい。例えば、ブラケット本体４７のライブラリは事前に作成し、すぐに選択できるようにコンピュータに格納するが、ブラケット本体４７は患者の要求を満たすように容易にカスタマイズすることもできる。また、ブラケット溝５１、５３も患者の要求にしたがって設計してもよい。例えば、ブラケット溝５１、５３は患者の歯の幾何学的形状に整合するように設計してもよい。ブラケット溝５１、５３は、ブラケット本体の表面まで延びる開放端溝５１か、またはブラケット本体４７を通るチューブを形成する閉鎖端溝５３の何れかの形態でもよい。有益にも、こうした製造方法を使用すると、溝５１、５３の何れかの種類のブラケット溝幅５５に沿った公差は、わずか０．７度の計算回転角に対応して３０ミクロン未満かつ約８ミクロン程度となり得る。これは、開放端溝について４０ミクロン程度、および閉鎖端溝について４０〜１００ミクロン程度もの公差を有する先行技術に対する大きな改善となり得る。こうした精度は有益にもより予測可能な仕上げ処理に帰結し得る。
【００４０】
さらに、例えばブラケットウイング５７またはブラケットフック５９といった他の付属品をブラケットの設計に一体化してもよい。ブラケットパッド４９、ブラケット本体４５、および他の付属品の３次元設計を結合したら、歯列矯正器具を形成する各ブラケット４５に関する処理を繰り返す。
【００４１】
図１３に示すように、本発明の実施形態によれば、歯列矯正器具を製造する方法は、当業者が知り理解するところの様々な成形技術を使用するステップを含んでもよい。すなわち、方法は、注入、射出、または他の形でブラケット形成材料７５を鋳型７３に移送するステップ（ブロック１５１）を含んでもよい。鋳型７３（図８）は、ブラケット形成材料７５を内部に配置した時ブラケット本体４７とブラケットパッド４９の周囲を画定する各ブラケット４５のためのキャビティ７９を有してもよい。鋳型７３内の各キャビティには、例えば、ブラケット形成材料７５をそれぞれのキャビティ７９に移送するための独立した導管を提供する独立したチャネルまたは湯口８１が接続される。各チャネル８１はブラケット材料７５を充填した時ランナ８３の周囲を画定する。本発明の実施形態によれば、ブラケット形成材料７５が硬化し、ブラケット４５が鋳型７３から取り外された時、成形された各ブラケット本体４７はランナ８３に接続されたままである（図９および図１４〜図１９参照）。ランナ８３をまとめて接続すると、ランナ８３はモールドツリーと呼ばれることの多い形態を取る。
【００４２】
本発明の実施形態によれば、歯列矯正器具を製造する方法は、自動化機械加工技術を使用するステップを含んでもよい。すなわち、歯列矯正器具４１を製造する方法は、例えば、ブラケット本体４７中のブラケット溝５１、５３の仮想寸法表示から装置制御命令を作成するために使用可能な、ソフトウェアまたはプログラム製品、例えば、前に説明したコンピュータ支援製造プログラム製品９７（図１）を含むデータ処理コンピュータ、例えばデータ処理コンピュータ９１を使用して、装置制御命令を導出するステップ（ブロック１５３）を含んでもよい。装置制御命令は、ブラケット溝５１、５３の周囲に沿って延びる切り込みパターンを仕上げる動作を記述するものであって、その切り込みパターンは、事前に選択したカスタマイズされた精密アーチワイヤの関連する寸法に実質上一致して、アーチワイヤ４３との精密な境界面を形成するようにカスタマイズ可能である。装置制御命令は、手動またはコンピュータネットワーク経由の何れかによって、ブラケット製造装置、例えば放電装置１１１、１１１’の制御装置、例えば制御装置１０３に提供してもよい（ブロック１５５）。そして、例えば、制御プログラム製品１０９を保持する制御装置１０３を使用して、受信した放電装置制御命令に応答して、放電装置制御命令を保持する制御信号を導出してもよい（ブロック１５７）。そして、制御信号に応答して放電切り込みパターンを仕上げ、ブラケット溝５１、５３を形成する（ブロック１５９）。
【００４３】
図２０に示すように、ブラケット溝が開放端ブラケット溝５１である本発明の実施形態によれば、歯列矯正器具４２を製造する方法は、図２１および図２２に例示するようなブラケット溝を形成するため、制御信号に応答して放電切り込みパターンを仕上げるステップを含んでもよい。開放端ブラケット溝の形状では、ブラケット溝５１は、開放端６１と、閉鎖基部端６３と、基部端６３と開放端６１との間に延びる２つの間隔の空いた側面６５、６６とを有し、例えば、ブラケットがブラケットパッド４９の上および／またはその全体方向に整合するように配置されるように、歯の内側表面に平行に方向付けられるように形成してもよい。すなわち、ブラケット溝５１は歯の表面、またはブラケットパッドの幾何学的形状、またはその両方と実質上平行に方向付けてもよい。同様に、本発明の実施形態によれば、ブラケット本体４７は、関連する歯の形状に実質上一致する形状を有してもよい。
【００４４】
本発明の実施形態によれば、ブラケット溝５１は、ワイヤ電極１１７を装備した放電装置１１１を含む放電加工機１０１を使用してブラケット本体４７に「切り込み」する。放電加工機制御装置１０３は、ユーザから直接、またはデータ処理コンピュータ９１または電極１１７またはブラケット４５の移動を記述した装置制御命令を提供するシステムへの通信リンクを通じて装置制御命令を受信し、放電パターンを形成する（ブロック１７１）。例えば、データ処理コンピュータ９１はコンピュータ支援製造プログラムまたはコード９７を有してもよく、これは、歯列矯正設計プログラムを含む仮想歯列矯正装置設計コンピュータ３１からかまたは何らかの他の形態のコンピュータ支援設計プログラムから入力を受信してもよく、またデータ処理コンピュータ９１自体のコンピュータ支援製造プログラムと共に存在する歯列矯正設計プログラムまたは他のコンピュータ支援設計プログラムから入力を受信してもよい。本発明の実施形態によれば、コンピュータ支援製造プログラム９７を使用して、当業者が理解するように、例えば図２３に例示するようなＧ−コードレベルプログラムである手動オペレータプログラミングを使用して生成されるものと同様の装置制御命令、例えばコンピュータ数値制御プログラムを形成してもよい（ブロック１７３）。上記で注意したように、放電切り込みパターンの処理を制御するため、このコードは放電加工機制御装置１０３に容易に転送可能である（ブロック１７５）。
【００４５】
成形後、ブラケット４５はランナ８３を介して接続されたモールドツリーの形態となるように構成してもよい。鋳型７３からブラケット４５を取り外した後、各ブラケット４５および関連するランナ８３を放電加工機駆動テーブルの上で位置決めして、各ブラケットのブラケット本体にブラケット溝を「切り込み」、ブラケット本体をモールドツリーから取り外す。電極１１７に隣接してモールドツリーを位置決めした（ブロック１７７）後、放電切り込みパターンを開始してもよい（ブロック１７９）。パターンの開始は、放電加工機の操作員によって手動で行ってもよく、また当業者に周知のように、センサの使用を通じて自動的に行ってもよい。本発明の実施形態によれば、モールドツリーを保持する放電加工機駆動テーブル１２９は、各ブラケット本体４７がワイヤ電極１１７と放電接触するように個別に位置決めしてもよい。本発明の別の実施形態によれば、関連するガイド１２５、１２７の移動によってこれを達成する。
【００４６】
放電切り込みパターンが開始されると、モールドツリー上の第１のブラケット４５を、第１のブラケット４５が開始点、例えば、当業者に周知の装置１０１のプログラムゼロ点に関連する図２１に示す開始点Ｐ0でワイヤ電極１１７に正しく並置されるように位置決めする（ブロック１８１）。さらに、ワイヤ電極１１７の未使用部分を収容する供給リール１２１はワイヤ電極１１７を供給する連続した流れの提供を開始し、ワイヤ電極１１７の使用済み部分を収容する巻き取りリール１２３は、供給リール１２１から供給されたワイヤ電極１１７の回収を開始する。また、ワイヤ電極１１７を通じて高周波電流を通過させ、誘電流体（図示せず）が供給されるので、ワイヤ電極１１７とブラケット本体４７との間の間隙内の電圧は誘電流体をイオン化し、「火花」によってブラケット本体４７に対する侵食処理を実行しブラケット溝５１を形成することができる。
【００４７】
本発明の実施形態によれば、駆動制御命令に応答して、駆動テーブル１２９と、ひいてはブラケット本体４７とは、ワイヤ電極１１７がブラケット本体と電気的に係合するが直接接触しないように、切り込みパターンの第１の足Ｌ1にしたがってブラケット４５を平行移動させるように位置決めされる。点Ｐ1では、電極１１７はブラケット本体４７と電気的に係合して侵食処理が開始され（ブロック１８３）、ブラケット４５の表面の一部を溶解または気化させる。そして、ブラケット本体４７を、ブラケット溝５１の第１の側面６５の望ましい開始点Ｐ2に達するまで、足Ｌ2に沿って平行移動させる。有効には、パターンのこの最初の部分、特に第２の足Ｌ2は、第１の側面６５に対して実質上横方向のブラケット本体４７の外側表面の一部に沿って、ランナ８３の一部まで延びてもよい。
【００４８】
そして、ブラケット本体を、ブラケット本体４７内の望ましい深さに達するまで足Ｌ3に沿って平行移動させ、第１の側面６５の長さを形成する（ブロック１８５）。そして、ブラケット本体４７を、ブラケット本体４７内の望ましい横方向深さに達するまで足Ｌ4に沿って平行移動させ、第１の側面からブラケット本体内に延びる横方向延長部を形成する。そして、ブラケット本体４７を足Ｌ4に沿って後退させ、ブラケット本体４７内の望ましい横方向深さに達するまで足Ｌ5に沿って平行移動させ、ブラケット溝基部６３を形成し、かつ、第２の側面６６からブラケット本体内に延びる横方向延長部とを形成する（ブロック１８７）。そして、ブラケット本体４７を、ブラケット本体内の望ましい開始点Ｐ3に達するまで足Ｌ5に沿って後退させ、第２の側面６６の形成を開始する。第１および第２の側面６５、６６を越えて延びる横方向延長部はブラケット溝のアンダーカット６７を形成する（ブロック１８９）。そして、ブラケット本体４７を、一般に第１の側面６５の開始点Ｐ1に隣接して位置決めされたブラケット溝切りこみパターンＰ4に達するまでＬ6に沿って平行移動させ、第２の側面６６の長さを形成する（ブロック１９１）。平行なものとして図示しているが、第１および第２の側面６５、６６は、２つの間隔の空いた側面６５、６６がブラケット溝基部６３からブラケット溝開口６１まで、またはブラケット溝開口６１からブラケット溝基部６３まで収束して延びるようにブラケット溝５１の基部６３に対して鋭角をなしてもよいことに注意されたい。
【００４９】
そして、ブラケット本体４７を、ランナ８３を抜け出るまで足Ｌ7に沿って平行移動させ、ブラケット本体４７をランナ８３および、ひいてはモールドツリーから完全に分離する。ブラケット本体の設計が、図４および図２１に例示するようなブラケットウイング５７を含む場合、ブラケット本体４７をさらに、切り込みパターンがブラケットウイング５７の溝側表面に沿って延びブラケットウイング５７の溝側表面を形成するように平行移動させ、ランナ８３からブラケット本体４７を分離する。前に説明したように、ブラケット本体４７を平行移動させるのではなく、ガイド１２５、１２７を平行移動させて、上記で説明しかつ以下で説明する動作を実行してもよいことに注意されたい。
【００５０】
図２４に示すように、ブラケット溝が、ブラケット本体４７を通るチャネルまたはチューブを画定する閉鎖端溝５３である本発明の実施形態によれば、歯列矯正器具４１を製造する方法は、図２５および図２６に例示するようなブラケット溝を形成するため、制御信号に応答して放電切り込みパターンを仕上げるステップを含んでもよい。チューブ状ブラケット溝の形状では、ブラケット溝５３は閉じた周囲を有しブラケット本体４７を通じて延びる。チューブ状ブラケット溝５３も、開放端ブラケット溝５１と同様に、例えば、ブラケット本体４７がブラケットパッド４９の上および／またはその全体方向に位置決めされるように、歯の内側表面に平行に方向付けられるように形成してもよい。すなわち、ブラケット溝５３は歯の表面、またはブラケットパッドの幾何学的形状、またはその両方と実質上平行に方向付けてもよい。同様に、チューブ状の形状を有するブラケット溝５３を保持するブラケット本体４７も、関連する歯の形状に実質上一致する形状を有してもよい。
【００５１】
本発明の実施形態によれば、制御信号に応答して、第１の放電切り込みパターンを仕上げてブラケットチューブ５３を形成する。パターンはブラケットチューブ５３の周囲に沿って延び、事前に選択したアーチワイヤ４３の関連する寸法に実質上一致してアーチワイヤ４３との精密な境界面を形成するようにカスタマイズしてもよい。ブラケットチューブ５３は、例えば、型彫り電極１１９およびワイヤ電極１１７の組み合わせを使用して、ブラケット本体４７内に「切り込む」。放電加工機制御装置１０３は、前に説明したように、ユーザから直接、またはデータ処理コンピュータ９１または放電パターンを形成する電極の移動を記述した装置制御命令を提供するシステムへの通信リンクを通じて、例えば、図２７に例示するもののような装置制御命令を、受信してもよい（ブロック２０１）。代替的には、当業者に周知の他の手段を通じてスタータ穴を事前に形成してもよい。モールドツリーを位置決めした（ブロック２０３）後、放電切り込みパターンの開始（ブロック２０５）は、放電加工機１０１の操作員によって手動で行ってもよく、また当業者に周知のように、センサの使用を通じて自動的に行ってもよい。
【００５２】
放電切り込みパターンが開始されると、チューブを貫通して切り込むことを必要とするモールドツリー上の第１のブラケット４５を、ブラケットが、開始点、例えば、放電装置１１１’のプログラムゼロ点に関連してもよい、図２５に示す開始点ＴＰ0でワイヤ電極１１７に正しく並置されるように位置決めする。スタータチャネル１３０が事前に形成されていない場合（ブロック２０７）、型彫り電極１１９またはワイヤ電極１１７の切断した部片を使用して、スタータチャネル１３０を形成または型彫りしてもよい（ブロック２０９）。電極１１７、１１９を通じて高周波電流を通過させ、誘電流体が供給されるので、電極１１７、１１９とブラケット本体４７との間の間隙内の電圧は誘電流体をイオン化し、ブラケット本体４７に対する侵食処理を実行し、ブラケットチューブ５３のためのスタータチャネルを形成する。ワイヤ電極１１７の正常な配置に対応するチャネル１３０を型彫りした後、開始点ＴＰ0でワイヤ電極１１７をチャネル１３０に通す（ブロック２１１）。ワイヤ電極１１７の未使用部分を収容する供給リール１２１はワイヤ電極１１７を供給する連続した流れの提供を開始し、ワイヤ電極１１７の使用済み部分を収容する巻き取りリール１２３は、ユーザの選択または材料に依存する速度で、供給リール１２１から供給されたワイヤ電極１１７の回収を開始する。また、前に説明したように、ワイヤ電極１１７を通じて高周波電流を通過させ、誘電流体を供給してブラケット本体４７に対する侵食処理を実行し、ブラケットチューブを形成する。
【００５３】
本発明の好適実施形態によれば、駆動制御命令に応答して、ブラケット本体を切り込みパターンの第１の足ＴＬ1にしたがって平行移動させ、ワイヤ電極１１７は、例えば、初期周囲開始点ＴＰ1で、ブラケットチューブ５３の望ましい周囲の部分までブラケット本体材料を電気的に侵食する（ブロック２１３）。そして、ブラケット本体４７を、第１の側面６５’の望ましい開始点ＴＰ2に達するまで、足ＴＬ2に沿って平行移動させる。そして、ブラケット本体４７を、ブラケットチューブ５３の望ましい足に達するまで、足ＴＬ3に沿って平行移動させる。そして、ブラケット本体４７を、ブラケット溝５３の望ましい幅５５’に達するまで、足ＴＬ4に沿って平行移動させる。そして、ブラケット本体４７を、第２の側面６６’の望ましい長さに達するまで、足ＴＬ5に沿って平行移動させる。そして、ブラケット本体４７を、初期周囲開始点ＴＰ1に達するまで平行移動させ、ブラケット溝５３の周囲を完成する（ブロック２１５）。そして、ワイヤ電極１１７をブラケットチューブ５３内から取り外す（ブロック２１７）。平行なものとして図示しているが、第１および第２の側面６５’、６６’は、２つの間隔の空いた側面６５’、６６’がブラケット溝基部６３’側からか、またはブラケット溝基部６３’に向かって収束して延びるように溝５３のブラケット溝基部６３’に対して鋭角をなしてもよいことに注意されたい。さらに、前に説明した開放端ブラケット溝５１と同様に、１つ以上の足の長さまたは幅の何れかは、切り込みの長さがブラケットチューブ５３の長さまたは幅を越えてアンダーカットを形成するように延びてもよい。
【００５４】
また、本発明の実施形態によれば、制御信号に応答して、第２の放電切り込みパターンを仕上げて、ブラケット本体４７をランナ８３から分離してもよい（図２５〜図２７参照）。第２の放電切り込みパターンが開始される（ブロック２２１）と、ブラケット本体４７を、開始点、例えば図２５に示す開始点Ｓ0でワイヤ電極１１７と正しく並置されるように再位置決めする（ブロック２２３）。そして、ブラケット本体４７を、切り込みパターンの第１の足ＬＰ1にしたがって再位置決めする。そして、ブラケット本体４７を、ランナ８３を抜け出るまで足ＬＰ2に沿って平行移動させ、ブラケット本体４７をランナ８３および、ひいてはモールドツリーから完全に分離する（ブロック２２５）。
【００５５】
本発明の実施形態を完全に機能するシステムの文脈で説明したが、当業者は、本発明の機構および／またはその態様は、プロセッサ（単数または複数）等で実行するための様々な形態の命令に、コンピュータ可読媒体の形態で分散可能であり、本発明は、実際に分配を実行するために使用される信号保持媒体の個々の種類とは無関係に等しく適用されることを認識するであろうことに注意するのは重要である。コンピュータ可読媒体の例は、読み出し専用メモリ（ＲＯＭ）、ＣＤ−ＲＯＭ、およびＤＶＤ−ＲＯＭといった不揮発性ハードコード型媒体、または電気的消去可能読み出し専用メモリ（ＥＥＰＲＯＭ）、フロッピー（登録商標）ディスク、ハードディスクドライブ、ＣＤ−Ｒ／ＲＷ、ＤＶＤ−ＲＡＭ、ＤＶＤ−Ｒ／ＲＷ、ＤＶＤ＋Ｒ／ＲＷ、フラッシュドライブといった記録可能型媒体、および他のより新しい種類の媒体、およびデジタルおよびアナログ通信リンクといった伝送型媒体を含むがこれらに制限されない。
【００５６】
図１〜図２７に示すように、本発明の実施形態は、歯列矯正器具を製作または製造するための、コンピュータによって読み取り可能なコンピュータ可読媒体を含む。例えば、本発明の実施形態によれば、コンピュータによって実行されると、歯列矯正機器４１のブラケット４５のブラケット本体４７内のブラケット溝５１、５３の仮想寸法表示を受信し、ブラケット溝５１、５３の仮想寸法表示および／またはユーザの入力に応答して装置制御命令を導出する動作をコンピュータに実行させる１組の命令を収容するコンピュータ可読媒体が提供される。装置制御命令は、アーチワイヤ４３との精密な境界面を形成するため、事前に選択されたアーチワイヤ４３の関連する寸法に実質上一致する十分な精度でブラケット溝５１、５３の周囲に沿って延びる放電切り込みパターンを仕上げる動作を実行する命令を含む。
【００５７】
詳しく言うと、開放端溝５１の場合、恐らく図２１に最もよく示されているように、装置制御命令は、例えば、放電加工を開始する切り込みパターン開始点を画定するブラケット本体４７上の点を検出または決定し、溝５１の開口部に隣接するブラケット本体の外側表面の一部に沿って切り込みパターンの開始部分を延長し、ブラケット本体４７まで延びる経路を切り込んで溝５１の第１の側面６５を形成し、第１の側面６５に対して少なくとも部分的に延びる経路を切り込んでブラケット基部端６３を形成し、ブラケット本体４７の表面まで切り込み経路を延長して第２の側面６６を形成しブラケット溝５１の形成を完了する動作を実行する命令を含んでもよい。また、命令は、ブラケット溝５１の基部端６３に隣接する、間隔の空いた側面６５、６６の一方または両方からブラケット本体４７まで延びる横方向の延長部を形成してブラケット溝のアンダーカット６７を形成する動作を実行する命令を含んでもよい。また、命令は、ブラケットウイング５７の溝側表面に沿って切り込みパターンの一部を延長し、ブラケットウイング５７の溝側表面を形成する動作を実行する命令を含んでもよい。有利には、本発明の実施形態によれば、ブラケット溝５１の完成またはブラケットウイング５７の溝側表面の切り込みの完了の結果、該当する場合、関連するランナ８３からブラケット本体が分離されるように切り込みパターンを選択する。
【００５８】
閉鎖端溝５３の場合、恐らく図２５に最もよく示されているように、装置制御命令は、例えば、放電加工を開始する第１の切り込みパターン開始点を画定するブラケット本体４７上の点を検出または決定し、ブラケット溝５３の内側周囲に隣接する点まで切り込みパターンの開始部分を延長し、ブラケット溝５３の内側周囲に沿って切り込みパターンを延長してブラケット溝５３を形成する動作を実行する命令を含んでもよい。また、命令は、ブラケット溝５３の基部端６３’に隣接する側面６５’、６６’の一方からブラケット本体４７内に延びる横方向の延長部を形成してブラケット溝のアンダーカットを形成する動作を実行する命令を含んでもよい。また、ブラケット本体４７に事前に形成したスタータチャネル１３０がない場合、命令は、スタータチャネル１３０を形成する動作を実行する命令を含んでもよい。また、命令は、放電加工を開始する第２の切り込みパターン開始点を画定するブラケット本体４７上の位置を検出または決定し、ランナ８３を通る第２の切り込みパターンを延長してランナ８３からブラケット本体４７を分離する動作を実行する命令を含んでもよい。
【００５９】
本発明の実施形態によれば、コンピュータによって実行されると、歯列矯正機器４１のブラケット４５のブラケット本体４７内のブラケット溝５１、５３の仮想寸法表示を記述した放電装置制御命令を受信し、放電装置制御命令に応答して放電装置制御命令を保持する制御信号を導出し、上記で説明した動作を実行する動作をコンピュータに実行させる１組の命令を収容するコンピュータ可読媒体が提供される。
【００６０】
これらの例示実施形態をかなり詳細に参照して本発明を説明した。しかし、上記の明細書で説明した本発明の精神および範囲の中で、様々な修正、交代、および他の変更をなし得ることは明らかであろう。例えば、溝のないブラケットを鋳型内で製造するものとして説明した。事前に処理したブラケットを製造する他の方法も上記の教示の範囲内である。さらに、例えば、ブラケット溝は装置制御命令にしたがって形成するものとして説明した。本発明の代替実施形態では、当業者に周知の、単独またはそれら同士または放電加工と組み合わせた、フライス加工、ドリル加工、旋削、ホーニング、超音波加工、高圧水切削または研磨を含む他の加工方法を使用してブラケット溝の周囲に沿って延びる上記で説明した加工パターンを仕上げし、アーチワイヤの関連する寸法に実質上一致するように形成したカスタマイズされたブラケット溝を提供してもよい。
【００６１】
さらに、既知または将来考案される、当業者の見るところの、請求対象の事項からのわずかな変更は、請求項の範囲内にある同等物であると明白に考えられる。したがって、現在または将来当業者に知られる明らかな置換は、画定された要素の範囲内にあるものと画定される。さらに、本発明およびその様々な実施形態を説明するために本明細書中で使用される用語は、一般に定義される意味だけではなく、本明細書での特殊な定義によって、一般に定義される意味の範囲を越える構造、材料または作用を含むものと理解される。
【００６２】
すなわち、本発明は、歯列矯正器具を製造するための装置に関し、この装置は、プロセッサと、プロセッサに結合されたメモリと、メモリ中に格納され、患者の歯列データを受信し、受信した患者の歯列データに応答して仮想歯列矯正器具設計データを定義する歯列矯正器具の仮想寸法表示を設計する動作を実行する命令を含む歯列矯正器具設計プログラム製品とを有する仮想歯列矯正器具設計コンピュータであって、歯列矯正器具がカスタマイズされたアーチワイヤと、各々歯に面する結合表面とブラケット溝とを含む複数の精密なカスタマイズされたブラケットとを含む仮想歯列矯正器具設計コンピュータと、各ブラケットを形成するように配置された鋳型形成装置であって、ブラケット形成材料を受け入れるように配置された鋳型と、ブラケット形成材料を鋳型に計量分配するように配置された計量分配装置とを含み、鋳型が、ブラケット形成材料が内部に配置された時ブラケットの周囲を画定する複数のブラケット各々のためのキャビティとブラケット形成材料を充填した時ランナの周囲を画定するチャネルとを有し、鋳型から取り外された時成形された各ブラケットがランナに接続されている鋳型形成装置と、仮想歯列矯正器具設計コンピュータと通信し、メモリと、メモリ中に格納され仮想歯列矯正器具設計データに応答してブラケット溝の仮想寸法表示を記述するパターンを形成する動作を実行する命令を含む放電装置制御命令を導出する動作を実行する命令を含むコンピュータ支援製造プログラム製品とを有するデータ処理コンピュータと、データ処理コンピュータと通信し、メモリと、メモリ中に格納され放電装置制御命令を受信する動作を実行する命令を含むデータ通信プログラム製品および、やはりメモリ中に格納され受信した放電装置制御命令に応答して放電装置制御命令を保持する制御信号を導出する命令を含む制御プログラム製品と、電極と、制御信号に応答して各ブラケットを電極と放電接触するように位置決めしてブラケット溝を形成しブラケット溝を形成する時同時にブラケットをランナから分離するようになっている少なくとも１つの駆動部とを含む放電電極組立体を備える放電加工機とを備える。
【００６３】
好適には、放電装置制御命令は、ブラケット溝の周囲に沿って延びる放電切り込みパターンを仕上げる動作を実行する命令を含む。
【００６４】
さらに、ブラケット溝は、開放表面端と、閉鎖基部端と、それらの間に延びる２つの間隔の空いた側面とを含み、切り込みパターンの開始部分は、少なくとも１つの側面に対して実質上横方向のブラケットの外側表面の一部に沿って延びることが好適である。
【００６５】
代替的には、ブラケット溝は、開放表面端と、閉鎖基部端と、それらの間に延びる２つの間隔の空いた側面とを含み、ブラケットは溝側表面を有するブラケットウイングを含み、切り込みパターンの一部はブラケットウイングの溝側表面に沿って延び、ブラケットウイングの溝側表面を形成する。
【００６６】
好適には、ブラケット溝は、開放端と、閉鎖基部端と、それらの間に延びる２つの間隔の空いた側面とを含み、切り込みパターンは、ブラケット溝の基部端で間隔の空いた側面の一方からブラケット内に延びてブラケット溝のアンダーカットを形成する横方向延長部を含む。
【００６７】
ブラケットは、開放端と、閉鎖基部端と、それらの間に間隔を空けて延びブラケット溝幅を画定する２つの間隔の空いた側面とを含んでもよく、切り込みパターンは、基部に隣接する対応する少なくとも１つの間隔の空いた側面からブラケット内に延びて溝幅を越えるアンダーカット幅を有するブラケット溝のアンダーカットを画定する少なくとも１つの横方向延長部を含む。
【００６８】
放電装置制御命令は、放電加工を開始する切り込みパターンを画定するブラケット上の位置を検出する動作を実行する命令を含んでもよい。
【００６９】
電極は、ワイヤ電極を画定するワイヤ放電電極を含んでもよく、電極組立体は、ワイヤ電極の未使用部分を収容し切り込みパターンを仕上げる時ワイヤ電極を供給する連続した流れを提供する供給リールと、ワイヤ電極の使用済み部分を収容しブラケット溝を形成する切り込みパターンを仕上げる時供給リールから供給されたワイヤ電極を回収し、ワイヤ電極に張力を提供して実質上平面の切り込み表面を提供する巻き取りリールとを含み、ブラケット溝とアーチワイヤとはアーチワイヤがブラケット溝内に配置される時ブラケット溝とアーチワイヤとの境界面を形成し、ブラケット溝とアーチワイヤとの境界面は少なくとも１つの寸法で約２０ミクロン（μｍ）以下の公差を提供する。
【００７０】
代替的には、電極は、型彫り放電電極を含み、電極組立体は、ブラケット溝を形成する切り込みパターンを仕上げる時ブラケットに隣接する電極を延長するラムを含み、ブラケット溝は少なくとも１つの寸法で３０ミクロン未満の公差を有するように指定される。
【００７１】
別言すると、歯列矯正器具を製造するためのシステムは、メモリと、メモリ中に格納され、コンピュータによって実行されると、歯列矯正器具のブラケット内に溝を形成しブラケットに接続されたランナからブラケットを分離する放電装置制御命令を保持する数値制御信号を導出する動作をコンピュータに実行させる制御プログラム製品とを有する制御装置を画定する数値制御データプロセッサと、制御装置と通信し、電極を含み、数値制御信号に応答して電極と放電接触するようにブラケットを位置決めし、ブラケット溝を形成しブラケット溝を形成する時にランナからブラケットを分離するようになった少なくとも１つの駆動部を有する放電電極組立体を有する放電装置とを備える。すなわち、装置は、メモリと、メモリ中に格納され、制御装置によって実行されると、歯列矯正器具のブラケット内のブラケット溝の仮想寸法表示を記述した放電装置制御命令を受信する動作を制御装置に実行させる命令を含むデータ通信プログラム製品と、やはりメモリ中に格納され、制御装置によって実行されると、放電装置制御命令に応答して放電装置制御命令を保持する制御信号を導出する動作を制御装置に実行させる制御プログラム製品とを有する制御装置と、電極を有し、制御信号に応答して電極と放電接触するよう用にブラケットを位置決めし、アーチワイヤの関連する寸法と実質上一致するように導出した所定の放電切り込みパターンにしたがってブラケット溝を形成し、アーチワイヤとの精密な境界面を形成するようになった少なくとも１つの駆動部を有する放電電極組立体とを備える。
【００７２】
本発明に係る歯列矯正器具を製造する方法は、歯列矯正器具のブラケット内のブラケット溝の仮想寸法表示から、ブラケット溝の周囲に沿って延び、アーチワイヤの関連する寸法に実質上一致してアーチワイヤとの精密な境界面を形成するように構成された放電切り込みパターンを仕上げる動作を記述した装置制御命令を保持する制御信号を導出するステップと、制御信号に応答して放電切り込みパターンを仕上げ、ブラケット溝を形成するステップとを備える。好適には、放電切り込みパターンは、事前に選択したアーチワイヤの関連する寸法に実質上一致するようにカスタマイズする。
【００７３】
放電切り込みパターンを仕上げる前に、ブラケットはランナに接続されていてもよく、放電切り込みパターンを仕上げるステップは、ブラケットをランナから切り離し、ブラケット溝を形成する時ブラケットをランナから実質上同時に分離するステップを含む。
【００７４】
放電切り込みパターンを仕上げる前に、ブラケットはモールドツリーに接続されたランナに接続されていてもよく、放電切り込みパターンを仕上げるステップは、ブラケットをモールドツリーから切り離すステップを含んでもよい。
【００７５】
ブラケット溝が開放表面端と、閉鎖基部端と、それらの間に延びる２つの間隔の空いた側面とを含む時、放電切り込みパターンを仕上げるステップはさらに、ブラケット溝の基部端に隣接する間隔の空いた側面の一方からブラケット内に延びる横方向延長部を形成してブラケット溝のアンダーカットを画定するステップを含んでもよい。
【００７６】
ブラケット溝が開放表面端と、閉鎖基部端と、それらの間に間隔を空けて延びブラケット溝幅を画定する２つの側面を含む時、放電切り込みパターンを仕上げるステップはさらに、ブラケット溝の基部端に隣接する間隔の空いた側面の一方からブラケット内に延びる横方向延長部を形成してブラケット溝幅を越えるアンダーカット幅を有するブラケット溝のアンダーカットを画定するステップを含んでもよい。
【００７７】
ブラケットがブラケットウイングを含む時、放電切り込みパターンを仕上げるステップはさらに、ブラケットウイングの溝側表面にそって切り込みパターンの一部を延長しブラケットウイングの溝側表面を形成するステップを含んでもよい。
【００７８】
ブラケット溝が開放表面端と、閉鎖基部端と、それらの間に延びる２つの側面とを含む時、放電切り込みパターンを仕上げるステップはさらに、少なくとも１つの側面に対して実質上横方向のブラケットの外側表面の部分に沿って切り込みパターンの開始部分を延長するステップを含んでもよい。さらに、放電切り込みパターンを仕上げるステップは、２つの間隔の空いた側面がブラケット溝基部から収束して延びるように、１つの側面とブラケット溝基部との間に鋭角を形成するステップを含んでもよい。
【００７９】
ブラケット溝がブラケットチューブである時、放電切り込みパターンは第１の切り込みパターンでもよく、第１の放電切り込みパターンを仕上げる前に、ブラケットはランナに接続されており、方法はさらに、制御信号に応答して第２の放電切り込みパターンを仕上げてブラケットをランナから分離するステップを備える。
【００８０】
好適には、アーチワイヤはカスタマイズされるものであって、方法はさらに、ブラケット溝内に配置されるようになったカスタマイズされたアーチワイヤを形成し、少なくとも１つの寸法で約２０ミクロン以下の遊びまたは公差を提供するブラケット溝とアーチワイヤとの境界面を形成するステップを備える。
【図面の簡単な説明】
【００８１】
【図１】本発明の実施形態に係る歯列矯正器具を製造するシステムの概略構成図である。
【図２】本発明の実施形態に係る歯列矯正器具を製造する処理フローの概略図である。
【図３】本発明の実施形態に係る歯列矯正器具の斜視図である。
【図４】本発明の実施形態に係る歯列矯正器具のブラケットの斜視図である。
【図５】本発明の実施形態に係る歯列矯正器具のブラケットの斜視図である。
【図６】本発明の実施形態に係る歯列矯正器具のブラケットのブラケット溝の斜視図である。
【図７】本発明の実施形態に係る歯列矯正器具のブラケットのブラケット溝の斜視図である。
【図８】本発明の実施形態に係る鋳型形成装置の斜視図である。
【図９】本発明の実施形態に係る鋳型ツリーの斜視図である。
【図１０】本発明の実施形態に係る放電加工機の斜視図である。
【図１１】本発明の実施形態に係る放電加工機の斜視図である。
【図１２】本発明の実施形態に係る歯列矯正器具を製造する方法のフロー図である。
【図１３】本発明の実施形態に係る歯列矯正器具を製造する方法のフロー図である。
【図１４】本発明の実施形態に係る歯列矯正器具のブラケットの斜視図である。
【図１５】本発明の実施形態に係る歯列矯正器具の成形装置および成形されたブラケットの一部の斜視図である。
【図１６】本発明の実施形態に係る歯列矯正器具の成形装置および成形されたブラケットの一部の斜視図である。
【図１７】本発明の実施形態に係る歯列矯正器具の成形装置および成形されたブラケットの一部の斜視図である。
【図１８】本発明の実施形態に係る歯列矯正器具の成形装置および成形されたブラケットの一部の斜視図である。
【図１９】本発明の実施形態に係る歯列矯正器具の成形装置および成形されたブラケットの一部の斜視図である。
【図２０】本発明の実施形態に係る歯列矯正器具を製造する方法のフロー図である。
【図２１】本発明の実施形態に係るブラケット溝切り込みパターンに重ねた歯列矯正器具のブラケットの斜視図である。
【図２２】本発明の実施形態に係るブラケット溝切り込みパターンに重ねた歯列矯正器具のブラケットの概略図である。
【図２３】本発明の実施形態に係る図２２に例示された放電加工切り込みパターンを実行するために提供されるＡＳＣＩＩフォーマットの一連の数値コードである。
【図２４】本発明の実施形態に係る歯列矯正器具を製造する方法のブロックフロー図である。
【図２５】本発明の実施形態に係るブラケット溝切り込みパターンに重ねた歯列矯正器具のブラケットの斜視図である。
【図２６】本発明の実施形態に係るブラケット溝切り込みパターンに重ねた歯列矯正器具のブラケットの概略図である。
【図２７】本発明の実施形態に係る、図２６に例示した放電加工切り込みパターンを実行するために提供されるＡＳＣＩＩフォーマットの一連の数値コードである。
【図１】
0005543112.tif 000002
【図２】
0005543112.tif 000003
【図３】
0005543112.tif 000004
【図４】
0005543112.tif 000005
【図５】
0005543112.tif 000006
【図６】
0005543112.tif 000007
【図７】
0005543112.tif 000008
【図８】
0005543112.tif 000009
【図９】
0005543112.tif 000010
【図１０】
0005543112.tif 000011
【図１１】
0005543112.tif 000012
【図１２】
0005543112.tif 000013
【図１３】
0005543112.tif 000014
【図１４】
0005543112.tif 000015
【図１５】
0005543112.tif 000016
【図１６】
0005543112.tif 000017
【図１７】
0005543112.tif 000018
【図１８】
0005543112.tif 000019
【図１９】
0005543112.tif 000020
【図２０】
0005543112.tif 000021
【図２１】
0005543112.tif 000022
【図２２】
0005543112.tif 000023
【図２３】
0005543112.tif 000024
【図２４】
0005543112.tif 000025
【図２５】
0005543112.tif 000026
【図２６】
0005543112.tif 000027
【図２７】
0005543112.tif 000028